(57)【要約】【目的】  パチンコ玉を受ける回収ケースを確実に保持しつつ、その保持位置を簡単な操作で調整することのできるパチンコ玉回収装置を提供する。【構成】  回収装置２において、回収ケース８を挟持する一対の保持板２４ａ，２４ｂの外面には、Ｌ字状のスライド片２８ａ，２８ｂが水平方向へのみ摺動可能に設けられている。スライド片２８ａ，２８ｂのスライド板部Ｓには、回収ケース８の側面に形成されたネジ穴に螺合する蝶ボルト３４を挿通するための長孔３６が上下に形成され、各保持板２４ａ，２４ｂには、蝶ボルト３４を貫通させるための四角の貫通孔４０が形成されている。この装置２では、スライド片２８ａ，２８ｂを水平に移動させ、蝶ボルト３４を上下に移動させることで、回収ケース８が水平・上下に移動し、しかも、回収ケース８は保持板２４ａ，２４ｂ及びスライド片２８ａ，２８ｂのガイド板部Ｇにより、３つの側面で保持される。【選択図】  図７
2006305394.tif 000002
【特許請求の範囲】
【請求項１】
上側が開口した直方体状に形成され、パチンコ機の玉排出口から排出されるパチンコ玉を受け入れると共に該パチンコ玉を所定の回収通路に返却する回収ケースと、前記パチンコ機が配置された遊技島の所定位置に固定され、前記回収ケースを保持して該回収ケースを前記玉排出口の下方に配置させる保持部材と、を備えたパチンコ玉回収装置において、前記保持部材は、前記遊技島の所定位置に平行に立設されると共に、前記回収ケースの一対の側面を摺動可能に挟持する一対の保持板と、前記各保持板の前記回収ケース側とは反対側の外面に、水平方向へのみ摺動可能に夫々設けられ、前記水平方向への摺動に伴い前記保持板からの突出量が変化する一対のスライド板と、前記スライド板の少なくとも一方のスライド板にて前記保持板から突出する側の端縁から直角に延びて、前記回収ケースの側面のうち前記保持板に挟持される側面と直交する側面の少なくとも一方に接するガイド板と、を備え、前記回収ケースにて前記保持板により挟持される一対の側面の所定位置にネジ穴を夫々形成すると共に、前記各スライド板の所定位置に前記ネジ穴と螺合する固定ネジを挿通するための長孔を上下方向に形成し、更に、前記各保持板にて前記回収ケースと前記スライド板とで挟まれる領域に、前記固定ネジを前記スライド板の長孔から前記回収ケース側へ貫通させるための貫通孔を所定の大きさで形成し、前記ガイド板を前記回収ケースの側面に当接させた状態で、前記固定ネジを、前記各スライド板の長孔から前記各保持板の貫通孔を貫通させて前記回収ケースのネジ穴へ螺合することにより、前記回収ケースを前記保持部材に保持させること、を特徴とするパチンコ玉回収装置。
【請求項２】
請求項１に記載のパチンコ玉回収装置において、前記遊技島の長手方向に沿って配設されたレール部材と、該レール部材に移動可能に嵌合すると共に該レール部材の任意位置に固定可能に形成された固定部材と、を備え、前記各保持板は、その面が前記レール部材の長手方向に対して直交するように前記固定部材に固着されていること、を特徴とするパチンコ玉回収装置。
【請求項３】
請求項１又は請求項２に記載のパチンコ玉回収装置において、前記スライド板には、前記固定ネジを挿通可能で且つ前記長孔から水平方向に分岐する水平孔が、上下方向に複数個形成されていること、を特徴とするパチンコ玉回収装置。
【発明の詳細な説明】
【技術分野】
【０００１】
本発明は、パチンコ機の玉排出口から排出されるパチンコ玉を受け入れて、その受け入れたパチンコ玉を所定の回収通路に返却するパチンコ玉回収装置に関するものである。
【背景技術】
【０００２】
従来より、複数のパチンコ機が列設されてなる遊技島（パチンコ島）の内部において、パチンコ機の裏側には、パチンコ機のアウト玉排出口から排出されるアウト玉（遊技客によってパチンコ機の遊技領域に発射されたパチンコ玉）を、遊技島内にて玉循環系の一部を成す所定の回収通路に返却するためのアウト玉回収装置が設けられている。
【０００３】
この種のアウト玉回収装置は、上側が開口した直方体状の回収ケースと、遊技島にてパチンコ機が載置される下横枠等に固定されて、回収ケースをパチンコ機のアウト玉排出口の直下に保持する保持部材と、を主要部として構成されており、アウト玉排出口から排出されて落下するパチンコ玉を回収ケースで受け取り、その受け取ったパチンコ玉を、例えば回収ケースから伸びた樋を通じて、遊技島内の回収通路へ落下させるようにしていた。そして、これにより、パチンコ機で使用されたパチンコ玉が、店内の玉循環系に戻されて繰り返し使用できるようにしている。
【０００４】
また、回収ケースから伸びた上記樋には、そこを通過したパチンコ玉の数、即ちアウト玉の数を計数するためのアウト玉計数器が設けられており、このアウト玉計数器からの計数信号がホール管理コンピュータに入力されて、パチンコホール（パチンコ遊技場）の稼働状態が管理できるようにしている。
【０００５】
ところが、パチンコ機は、極めて嗜好性が強く、多くの製造メーカーから多様なのもが提供されており、パチンコ機の裏側におけるアウト玉排出口の位置も統一性がないため、遊技島に列設されるパチンコ機を異なる機種のものに交換する毎に、保持部材の固定位置を変更して、アウト玉排出口に対する回収ケースの適切な位置を得るようにしなければならなかった。
【０００６】
そこで、例えば、実開昭５５−１０７１８２号公報に開示されている如く、遊技島の下横枠に立設された一対の保持板（脚部）によって回収ケースの側面を挟持すると共に、各保持板側から回収ケースの側面に形成されたネジ穴へ、固定ネジを螺合させることにより回収ケースを保持・固定する装置において、保持板に長孔を複数個形成して、固定ネジの挿通位置を上下及び水平方向に変更できるようにすることが提案されている。
【０００７】
つまり、この装置では、保持部材の主要部として一対の保持板を用い、保持板側から挿通する固定ネジの位置を変更可能に構成することにより、保持板に対する回収ケースの取り付け位置を変更できるようにし、これによって、保持板（保持部材）の固定位置を変更することなく、アウト玉排出口の形成位置が異なるパチンコ機に対しても適用できるようにしている。
【発明の開示】
【発明が解決しようとする課題】
【０００８】
しかしながら上記従来の装置では、回収ケースが、一対の保持板側から夫々突出する固定ネジだけによって保持板に取り付けられるため、回収ケースの保持強度が低いという問題がある。即ち、上方から落下してくるパチンコ玉の勢いによって、回収ケースが固定ネジを軸心として回動してしまい、この結果、回収ケースが傾いてしまう虞がある。
【０００９】
そこで、回収ケースを保持板に複数の固定ネジによって固定することも考えられるが、この場合には、回収ケースの位置を変更するための作業に手間がかかってしまう。本発明は、このような問題に鑑みてなされたものであり、回収ケースを確実に保持しつつ、その保持位置を簡単な操作で調整することのできるパチンコ玉回収装置を提供することを目的としている。
【課題を解決するための手段】
【００１０】
上記目的を達成するためになされた請求項１に記載の本発明は、上側が開口した直方体状に形成され、パチンコ機の玉排出口から排出されるパチンコ玉を受け入れると共に該パチンコ玉を所定の回収通路に返却する回収ケースと、前記パチンコ機が配置された遊技島の所定位置に固定され、前記回収ケースを保持して該回収ケースを前記玉排出口の下方に配置させる保持部材と、を備えたパチンコ玉回収装置において、前記保持部材は、前記遊技島の所定位置に平行に立設されると共に、前記回収ケースの一対の側面を摺動可能に挟持する一対の保持板と、前記各保持板の前記回収ケース側とは反対側の外面に、水平方向へのみ摺動可能に夫々設けられ、前記水平方向への摺動に伴い前記保持板からの突出量が変化する一対のスライド板と、前記スライド板の少なくとも一方のスライド板にて前記保持板から突出する側の端縁から直角に延びて、前記回収ケースの側面のうち前記保持板に挟持される側面と直交する側面の少なくとも一方に接するガイド板と、を備え、前記回収ケースにて前記保持板により挟持される一対の側面の所定位置にネジ穴を夫々形成すると共に、前記各スライド板の所定位置に前記ネジ穴と螺合する固定ネジを挿通するための長孔を上下方向に形成し、更に、前記各保持板にて前記回収ケースと前記スライド板とで挟まれる領域に、前記固定ネジを前記スライド板の長孔から前記回収ケース側へ貫通させるための貫通孔を所定の大きさで形成し、前記ガイド板を前記回収ケースの側面に当接させた状態で、前記固定ネジを、前記各スライド板の長孔から前記各保持板の貫通孔を貫通させて前記回収ケースのネジ穴へ螺合することにより、前記回収ケースを前記保持部材に保持させること、を特徴とするパチンコ玉回収装置を要旨としている。
【００１１】
また、請求項２に記載の本発明は、請求項１に記載のパチンコ玉回収装置において、前記遊技島の長手方向に沿って配設されたレール部材と、該レール部材に移動可能に嵌合すると共に該レール部材の任意位置に固定可能に形成された固定部材と、を備え、前記各保持板は、その面が前記レール部材の長手方向に対して直交するように前記固定部材に固着されていること、を特徴としている。
【００１２】
そして、請求項３に記載の本発明は、請求項１又は請求項２に記載のパチンコ玉回収装置において、前記スライド板には、前記固定ネジを挿通可能で且つ前記長孔から水平方向に分岐する水平孔が、上下方向に複数個形成されていること、を特徴としている。
【発明の効果】
【００１３】
上記のように構成された請求項１に記載のパチンコ玉回収装置においては、上側が開口した直方体状の回収ケースが、遊技島の所定位置に固定された保持部材により保持されて、パチンコ機の玉排出口の下方に配置される。そして、パチンコ機の玉排出口から排出されるパチンコ玉は、回収ケースに受け入れられて、所定の回収通路に返却される。
【００１４】
ここで、保持部材は、遊技島の所定位置に平行に立設されて回収ケースの一対の側面を摺動可能に挟持する一対の保持板と、各保持板の回収ケース側とは反対側の外面に水平方向へのみ摺動可能に夫々設けられた一対のスライド板と、そのスライド板の少なくとも一方のスライド板にて保持板から突出する側の端縁から直角に延びて、回収ケースの側面のうち保持板に挟持される側面と直交する側面の少なくとも一方に接するガイド板と、を有している。
【００１５】
そして、回収ケースにて保持板により挟持される一対の側面の所定位置には、ネジ穴が夫々形成されていると共に、各スライド板の所定位置には、回収ケースのネジ穴と螺合する固定ネジを挿通するための長孔が上下方向に形成されており、更に、各保持板にて回収ケースとスライド板とで挟まれる領域には、固定ネジをスライド板の長孔から回収ケース側へ貫通させるための貫通孔が所定の大きさで形成されている。
【００１６】
このような請求項１に記載のパチンコ玉回収装置において、回収ケースを保持・固定するには、まず、回収ケースを保持板に挟持させると共に、保持板に対してスライド板を水平方向に摺動させることにより、スライド板の端縁から延びたガイド板を、回収ケースの側面（保持板に挟持される側面と直交する側面）に当接させる。
【００１７】
そして、この状態で、固定ネジを、各スライド板の長孔から保持板の貫通孔を貫通させて回収ケースのネジ穴へ螺合させ、固定ネジを締め付ければ、回収ケースの側面とスライド板とによって保持板が強固に挟持され、この結果、回収ケースの側面は保持板に密着して保持される。しかも、このとき、回収ケースは、保持板により一対両側の側面で保持されるだけではなく、その側面に直交する側面の少なくとも一方も、ガイド板に接して保持される。即ち、回収ケースは少なくとも３つの側面で保持・固定されることとなる。
【００１８】
一方、回収ケースの位置を変更する場合には、まず、固定ネジをスライド板が保持板に対して摺動できる程度に緩める。そして、スライド板を保持板に対して水平方向に摺動させれば、固定ネジが保持板の貫通孔内を水平方向に移動して、回収ケースは、その側面にガイド板が当接した状態を保ちつつ、水平方向に移動することとなる。また、固定ネジをスライド板の長孔に沿って上下方向に動かせば、固定ネジが保持板の貫通孔内を上下方向に移動して、回収ケースは上下方向に移動することとなる。
【００１９】
尚、回収ケースの水平方向への移動量は、保持板に形成された貫通孔の水平方向の寸法によって決定され、また、回収ケースの上下方向への移動量は、スライド板に形成された長孔の上下方向の寸法及び保持板に形成された貫通孔の上下方向の寸法のうち、短い方によって決定される。
【００２０】
そして、このようにして回収ケースを保持板に対し水平方向及び上下方向に移動させ、最適な位置を決めた後に固定ネジを再度締め付ければ、回収ケースを上述の如く保持・固定することができる。以上のように請求項１に記載のパチンコ玉回収装置によれば、２本の固定ネジだけで回収ケースを固定できると共に、その固定ネジを緩めるだけで、回収ケースの位置を水平方向及び上下方向に調節することができる。しかも、２本の固定ネジによって回収ケースを固定しているにも関わらず、回収ケースは、少なくとも３つの側面で確実に保持される。従って、請求項１に記載のパチンコ玉回収装置によれば、回収ケースの保持位置を簡単な操作で調整することができる上に、回収ケースを確実に保持することができ、回収ケースが傾いてしまうといった不都合を防止できる。
【００２１】
尚、本発明においては、少なくとも、一方のスライド板の一方の端縁だけからガイド板が直角に延びるように構成すれば、回収ケースを３つの側面で保持することができるのであるが、例えば、一方のスライド板にて保持板から突出する両方の端縁から夫々ガイド板が延びるように構成すれば、回収ケースを４つの側面でより確実に保持することができるようになる。
【００２２】
また、両方のスライド板の同じ側の端縁から夫々ガイド板が延びるように構成すれば、回収ケースを３つの側面で保持する際の保持強度を向上させることができ、また更に、両方のスライド板の両方の端縁から夫々ガイド板が延びるように構成すれば、回収ケースを４つの側面で保持する際の保持強度を向上させることができる。そして、両方のスライド板の一方の端縁或いは両方の端縁から夫々ガイド板が延びるように構成する場合において、各スライド板から対向して延びたガイド板同士を連結するように構成すれば（換言すれば、各スライド板がガイド板によって連結されるように構成すれば）、回収ケースの側面をより大きな面積で保持できるようになる。
【００２３】
一方、本発明のパチンコ玉回収装置において、一対の保持板をパチンコ機の左右方向（遊技島の長手方向）に対して直交する方向に配置すれば、スライド板の摺動に伴って、回収ケースの位置をパチンコ機に対して前後方向に変更することができる。また、一対の保持板をパチンコ機の左右方向に平行に配置すれば、スライド板の摺動に伴って、回収ケースの位置をパチンコ機に対して左右方向に変更することができる。
【００２４】
次に、請求項２に記載のパチンコ玉回収装置では、請求項１に記載のパチンコ玉回収装置において、遊技島の長手方向に沿ってレール部材が配設されており、そのレール部材に移動可能に嵌合すると共に、レール部材の任意位置に固定可能な固定部材を備えている。そして、回収ケースを挟持する一対の保持板は、その面がレール部材の長手方向に対して直交するように、固定部材に固着されている。
【００２５】
よって、請求項２に記載のパチンコ玉回収装置では、一対の保持板がパチンコ機の左右方向（遊技島の長手方向）に対して直交するように配置されると共に、レール部材における固定部材の固定位置を変更することによって、保持板の位置をパチンコ機の左右方向に任意に変更することができる。
【００２６】
従って、このようなパチンコ玉回収装置によれば、回収ケースの位置を、パチンコ機に対して、上下，前後，及び左右の全方向に調節することができる。そして、回収ケースを玉排出口の直下位置へより確実に移動させることができるようになるため、回収ケースを小型化して当該装置をコンパクトにすることができ、この結果、遊技島内のスペースを有効に利用できる。
【００２７】
また、請求項２に記載のパチンコ玉回収装置によれば、レール部材から固定部材を取り外すことにより、当該装置を遊技島から排除することができる。よって、遊技島にてパチンコ機を入れ替える際や、遊技島を組み立てたり取り壊したりする際に、それらの作業を簡単に且つ安全に行うことができるようになる。
【００２８】
次に、請求項３に記載のパチンコ玉回収装置では、請求項１又は請求項２に記載のパチンコ玉回収装置において、スライド板には、固定ネジを挿通可能で且つ上記長孔から水平方向に分岐する水平孔が、上下方向に複数個形成されている。このようなパチンコ玉回収装置によれば、回収ケースの位置を調節する際に、固定ネジを、長孔から所望の高さに対応する水平孔へずらしておくことにより、回収ケースに上方からの強い衝撃が加わった場合にでも、固定ネジが長孔に沿って下方へずれてしまうことが防止でき、この結果、回収ケースをより確実に保持・固定することができる。
【００２９】
尚、請求項１〜請求項３に記載のパチンコ玉回収装置において、回収ケースの所定部分（例えば、パチンコ玉を回収通路へ誘導する部分）に、パチンコ玉の通過を検出する検出手段を設けておけば、パチンコ機の玉排出口から排出されたパチンコ玉の数を計数することが可能となる。
【実施例】
【００３０】
以下、本発明が適用された実施例について説明する。まず、図１は本実施例のアウト玉回収装置（以下、単に回収装置という）２の外観を表す斜視図であり、図２は回収装置２を図１とは反対側から表す斜視図である。そして、図３は回収装置２の使用状態を表す斜視図であり、以下の説明において、上下，左右，及び前後の方向に関する記載は、図１及び図３に基づくものとする。
【００３１】
図３に示すように、本実施例の回収装置２は、複数のパチンコ機Ｐが列設されてなる遊技島の内部において、各パチンコ機Ｐの裏側に夫々設けられ、パチンコ機Ｐのアウト玉排出口Ｋから落下してくるアウト玉Ｔを受けて、その受けたアウト玉Ｔを遊技島の下方に傾斜して配設された回収通路としてのアウトレール（図示せず）へ誘導するものである。尚、アウト玉とは、遊技客によってパチンコ機Ｐの遊技領域に発射されたパチンコ玉のことであり、入賞口に入ったパチンコ玉もアウト玉に含まれる。
【００３２】
そして、本実施例の回収装置２は、本体部３と、遊技島の所定位置に固定されて本体部３を保持する保持部材としての保持部５と、遊技島にてパチンコ機Ｐを載置する下横枠Ｗの上に、遊技島の長手方向（パチンコ機Ｐの左右方向）に沿って配設され、保持部５の固定位置を任意に調節するためのレール部材としてのレール６と、から構成されている。尚、レール６は、パチンコ機Ｐの１台分に応じた長さ、又はパチンコ機Ｐの所定台数分に応じた長さ、或いは更に、遊技島の端から端までの長さで配設される。
【００３３】
次に、本体部３の構造について説明する。本体部３は、上側が開口した直方体状に形成されてパチンコ機Ｐからのアウト玉Ｔを受ける回収ケース８と、回収ケース８の下面に設けられて、回収ケース８に収容されたアウト玉Ｔを上記アウトレールへ導くための樋１０と、を備えている。
【００３４】
図１及び図２に示すように、回収ケース８の底面８ａは、その中央部に形成された通過孔８ｂへ向かって傾斜しており、その通過孔８ｂは樋１０と連通している。また、回収ケース８の開口部側縁には、多数の突起を有する縁部材１２が取り付けられており、この縁部材１２によって、回収ケース８に大きな速度で落下してきたアウト玉Ｔがその反動で回収ケース８外へ飛び出してしまうことを防止している。
【００３５】
そして、図１及び図２には図示されないが、回収ケース８の４つの側面の内、左右の側面８ｃ，８ｄには、後述するように保持部５に保持・固定されるためのネジ穴１４が夫々形成されている（図５参照）。尚、このネジ穴１４は、回収ケース８の側面８ｃ，８ｄにおける所定位置に、六角ナットを埋設することにより形成されている。
【００３６】
一方、樋１０は、通過孔８ｂの直下にあっては、多数のアウト玉Ｔを受け取ることができるように広い面積に形成されているが、その先端部へ行くに従って徐々に狭くなり、アウト玉Ｔを１列に整然と整列させて落下孔１６から１個ずつ落下させる。
【００３７】
また、樋１０は、図１の矢印Ｙ１で示すように、回収ケース８に対して水平方向に回動可能に取り付けられており、その回動位置は、蝶ナット１８を締めることによって固定されるように構成されている。そして、回収ケース８に対する樋１０の回動位置を任意に調節することにより、回収ケース８に収容されたパチンコ機Ｐからのアウト玉Ｔを、樋１０を介して確実に上記アウトレールへ落下させることができる。
【００３８】
また更に、樋１０の先端部には、落下孔１６を通過するアウト玉Ｔの数を検出するための周知のパチンコ玉計数器２０が内蔵されており、その計量結果は、図示しないリード線を通じてホール管理コンピュータへと伝送される。尚、図２には図示されていないが、図１において２２は、樋１０でのパチンコ玉の流れがスムースとなるように設けられたパチンコ玉押え具であり、これは、パチンコ玉（アウト玉Ｔ）が重なり合って落下孔１６の入口を塞ぐことがないように、ある程度の自重をもってパチンコ玉を押さえて１段・１列に整列させる作用を奏する。
【００３９】
次に、保持部５の構造について、図１及び図４を用いて説明する。尚、図４は保持部５のみを表す斜視図である。図１及び図４に示すように、保持部５は、回収ケース８の左右方向の幅寸法にほぼ等しい間隔で平行に立設されると共に、回収ケース８の左右の側面８ｃ，８ｄを摺動可能に挟持する一対の保持板２４ａ，２４ｂと、保持板２４ａ，２４ｂを上記間隔に連結すると共に、回収ケース８を最も低い位置に保持した際に回収ケース８の底部が載置される底板２６と、各保持板２４ａ，２４ｂの回収ケース８側とは反対側の外面に、水平方向（前後方向）へのみ摺動可能に夫々設けられた一対のスライド片２８ａ，２８ｂと、各保持板２４ａ，２４ｂの下端部に夫々設けられ、レール６に移動可能に嵌合すると共にレール６の任意位置に固定可能な固定部材３０ａ，３０ｂと、を備えている。
【００４０】
ここで、スライド片２８ａ，２８ｂは、保持板２４ａ，２４ｂの外面に摺動可能に保持されるスライド板部Ｓと、このスライド板部Ｓにて保持板２４ａ，２４ｂから突出する側の端縁から直角に延びて、回収ケース８の側面のうち保持板２４ａ，２４ｂに挟持される左右側面８ｃ，８ｄと直交する側面の一方（本実施例では、回収ケース８にてパチンコ機Ｐとは反対側の前側面８ｅ）に接するガイド板部Ｇと、からなる略Ｌ字状に形成されている。
【００４１】
そして、図４に示すように、各スライド片２８ａ，２８ｂのスライド板部Ｓにおいて、その内側の所定位置には長方形の凸部３２が縦長に形成されており、その凸部３２の形成位置には、回収ケース８の側面８ｃ，８ｄに形成された上記ネジ穴１４に螺合すると共に一端に蝶ナットが固定された蝶ボルト（固定ネジ）３４を挿通するための長孔３６が、上下方向に形成されている。また、スライド板部Ｓにおいて凸部３２の形成位置には、蝶ボルト３４を挿通可能で且つ長孔３６から水平方向に分岐する孔（水平孔）Ｍが、上下方向に等間隔で４個形成されている。
【００４２】
一方、各保持板２４ａ，２４ｂの外面には、スライド片２８ａ，２８ｂのスライド板部Ｓの上下側縁を支持するための２本の突条３８ａ，３８ｂが、互いに平行に且つ水平に形成されている。そして更に、各保持板２４ａ，２４ｂにて、上記２本の突条３８ａ，３８ｂの間の領域、即ち、各保持板２４ａ，２４ｂにて回収ケース８とスライド板部Ｓとで挟まれる領域には、蝶ボルト３４をスライド板部Ｓの長孔３６から回収ケース８側へ貫通させると共に、スライド板部Ｓの凸部３２が摺動自在にはめ込まれる四角形の貫通孔４０が形成されている。
【００４３】
つまり、各スライド片２８ａ，２８ｂは、図４の二点鎖線で示すように、そのスライド板部Ｓの凸部３２が各保持板２４ａ，２４ｂの貫通孔４０にはめ込まれ、スライド板部Ｓの上下側縁が保持板２４ａ，２４ｂの突条３８ａ，３８ｂに挟まれることによって、各保持板２４ａ，２４ｂに対し水平方向へのみ摺動可能に保持される。尚、各スライド片２８ａ，２８ｂの水平方向への移動量は、貫通孔４０の幅寸法と凸部３２の幅寸法との差によって決定される。
【００４４】
また一方、保持板２４ａ，２４ｂの下端部に設けられた固定部材３０ａ，３０ｂの底部には、レール６の両側縁６ａに摺動自在に嵌合可能な断面Ｌ字状の嵌合片Ｈが一対で形成されており、固定部材３０ａ，３０ｂは、その嵌合片Ｈをレール６の両側縁６ａに嵌合させることにより、レール６上を移動する。
【００４５】
そして、固定部材３０ａ，３０ｂと保持板２４ａ，２４ｂの下端部とは、保持板２４ａ，２４ｂの面が常にレール６の長手方向に対して直交する向きとなるように結合されている。そして更に、各固定部材３０ａ，３０ｂの上面から底部へは、一端に蝶ナットが固定された蝶ボルトＢが挿通・螺合されており、蝶ボルトＢを手で回して、その先端部を固定部材３０ａ，３０ｂの底部から更に下方へ突出させれば、その先端部が、レール６の上面中央に形成された溝６ｂに当接することとなり、これによって、固定部材３０ａ，３０ｂ、延いては保持板２４ａ，２４ｂがレール６に固定される。
【００４６】
上記のように構成された保持部５において、回収ケース８を保持・固定するには、まず、図５の矢印Ｙ２に示すように、回収ケース８を保持板２４ａ，２４ｂに挟持させると共に、保持板２４ａ，２４ｂに対してスライド片２８ａ，２８ｂ（スライド板部Ｓ）を水平方向に摺動させることにより、各スライド片２８ａ，２８ｂのガイド板部Ｇを、回収ケースの前側面８ｅに当接させる。
【００４７】
そして、この状態で、図５の二点鎖線で示すように、蝶ボルト３４を、各スライド片２８ａ，２８ｂ（スライド板部Ｓ）の長孔３６から保持板２４ａ，２４ｂの貫通孔４０を貫通させて回収ケース８のネジ穴１４へ螺合させる。そして、蝶ボルト３４を締め付ければ、図１に示す如く、回収ケース８の側面８ｃ，８ｄとスライド片２８ａ，２８ｂのスライド板部Ｓとによって保持板２４ａ，２４ｂが強固に挟持され、この結果、回収ケース８の側面８ｃ，８ｄは保持板２４ａ，２４ｂに密着して保持される。尚、図５においては、左側（スライド片２８ａ側）の蝶ボルト３４しか表されていないが、右側（スライド片２８ｂ側）についても全く同様に、蝶ボルト３４が螺合される。
【００４８】
しかも、このとき、回収ケース８は、保持板２４ａ，２４ｂにより左右の側面８ｃ，８ｄで保持されるだけではなく、その側面８ｃ，８ｄに直交する前側面８ｅも、スライド片２８ａ，２８ｂのガイド板部Ｇに接して保持される。従って、本実施例の回収装置２では、２本の蝶ボルト３４によって回収ケース８を固定しているにも関わらず、回収ケース８は３つの側面８ｃ，８ｄ，８ｅで確実に保持・固定されることとなり、回収ケース８が蝶ボルト３４を軸心として回動してしまうといった不都合を防止できる。
【００４９】
また、蝶ボルト３４を締め付ける前に、図１に示す如く、蝶ボルト３４を、長孔３６から分岐した４個の孔Ｍの内の何れかへずらしておけば、回収ケース８に上方からの強い衝撃が加わった場合にでも、蝶ボルト３４が長孔３６に沿って下方へずれてしまうことが防止でき、この結果、回収ケース８をより確実に保持・固定することができる。尚、図１は、蝶ボルト３４を、上から数えて２番目の孔Ｍへずらした場合を例示している。
【００５０】
次に、上記のように構成された回収装置２の操作方法および動作について説明する。パチンコ機Ｐのアウト玉排出口Ｋの位置に応じて、回収ケース８の位置を調節する場合には、例えば次のようにする。
【００５１】
まず、両固定部材３０ａ，３０ｂの蝶ボルトＢを緩めて、固定部材３０ａ，３０ｂをレール６に沿って移動させ、パチンコ機Ｐのアウト玉排出口Ｋに対する回収ケース８の左右方向の位置を決めた後、蝶ボルトＢを締め付けて、固定部材３０ａ，３０ｂをレール６に固定する。
【００５２】
そして次に、左右両側の蝶ボルト３４を、スライド片２８ａ，２８ｂ（スライド板部Ｓ）が保持板２４ａ，２４ｂに対して摺動できる程度に緩める。そして、スライド片２８ａ，２８ｂを保持板２４ａ，２４ｂに対して水平方向に摺動させれば、回収ケース８は、その前側面８ｅに各スライド片２８ａ，２８ｂのガイド板部Ｇが当接した状態を保ちつつ、水平方向（即ち、前後方向）に移動することとなり、また、２つの蝶ボルト３４をスライド片２８ａ，２８ｂの長孔３６に沿って上下方向に動かせば、回収ケース８は上下方向に移動することとなる。
【００５３】
そして、このようにして、回収ケース８を前後及び上下方向に移動させ、アウト玉排出口Ｋのほぼ真下に移動させた後に、蝶ボルト３４を再度締め付ければ、回収ケース８を上述の如く保持・固定することができる。例えば、回収ケース８の位置を図１に示す状態から上方へ移動させる場合には、蝶ボルト３４を緩めてスライド片２８ａ，２８ｂの長孔３６に沿って上方へ動かし、図６に示すように、長孔３６から分岐した４個の孔Ｍのうち、最も上の孔Ｍへ蝶ボルト３４をずらした後に、蝶ボルト３４を再度締め付ければよい。すると、図６に示すように、回収ケース８の位置は、蝶ボルト３４を上方へずらした分だけ高くなる。
【００５４】
また、例えば、回収ケース８の位置を図６に示す状態から前方（パチンコ機Ｐから離れる方向）に移動させる場合には、蝶ボルト３４を緩めて、図７の矢印Ｙ３に示すように、スライド片２８ａ，２８ｂを保持板２４ａ，２４ｂに対して水平方向に摺動させ、その後、蝶ボルト３４を再度締め付ければよい。すると、図７に示すように、回収ケース８の位置は、スライド片２８ａ，２８ｂをずらした分だけ水平方向（この場合には前方）に移動することとなる。
【００５５】
そして、上記の如く回収ケース８を最適な位置に固定したら、最後に、蝶ナット１８を緩めて、樋１０を回収ケース８に対して図１の矢印Ｙ１方向に回動させることにより、樋１０の落下孔１６が図示しないアウトレールの上方に位置するように調整し、その後、蝶ナット１８を締めて樋１０の回動位置を固定することにより、当該回収装置２の配置作業が終了する。尚、上記手順は一例であり、各部の操作は上記と異なる順序で行ってもよい。
【００５６】
そして、パチンコ機Ｐのアウト玉排出口Ｋから落下したアウト玉Ｔは、図１及び図３に示す如く回収ケース８に受け取られ、そのアウト玉Ｔは、回収ケース８の通過孔８ｂを経由して樋１０に流れ、樋１０の落下孔１６から、アウトレールへ落下していくこととなる。また、このとき、樋１０の先端部に設けられたパチンコ玉計数器２０によって、落下孔１６を通過したアウト玉Ｔの数が検出され、その数に応じた検出信号がホール管理コンピュータへと伝送される。
【００５７】
以上詳述したように、本実施例の回収装置２によれば、２本の蝶ボルト３４だけで回収ケース８を固定できると共に、その蝶ボルト３４を緩めるだけで、回収ケース８の保持板２４ａ，２４ｂに対する位置を上下方向及び水平方向（前後方向）に調節することができる。しかも、２本の蝶ボルト３４によって回収ケース８を固定しているにも関わらず、回収ケース８は、３つの側面８ｃ，８ｄ，８ｅで確実に保持される。
【００５８】
従って、本実施例の回収装置２によれば、回収ケース８の保持位置を簡単な操作で調整することができる上に、回収ケース８を確実に保持することができ、回収ケース８が傾いてしまうといった不都合を防止できる。また、本実施例の回収装置２では、遊技島の長手方向に沿ってレール６を配設し、そのレール６上の任意の位置に、保持部５の保持板２４ａ，２４ｂをレール６と直交する向きで固定できるように構成しているため、回収ケース８の位置を、パチンコ機Ｐに対して、上下及び前後方向だけではなく、左右方向にも自由に調節することができる。そして、これにより、回収ケース８をアウト玉排出口Ｋの直下位置へより確実に移動させることができるため、回収ケース８を小型化して当該回収装置２をよりコンパクトにすることができ、延いては、遊技島内のスペースを有効に利用できるようになる。
【００５９】
また更に、本実施例の回収装置２によれば、レール６から固定部材３０ａ，３０ｂを抜き取ることにより、当該回収装置２を遊技島から排除することができるため、遊技島の組み立て又は取り壊し作業時等に極めて有効である。そして更に、本実施例の回収装置２においては、各スライド片２８ａ，２８ｂ（スライド板部Ｓ）の長孔３６からは、水平方向に複数の孔Ｍが分岐して形成されているため、回収ケース８に上方からの強い衝撃が加わった場合にでも、蝶ボルト３４が長孔３６に沿って下方へずれてしまうことが防止でき、回収ケース８の保持強度をより大きくすることができる。
【００６０】
尚、上記実施例では、保持板２４ａ，２４ｂをパチンコ機Ｐの左右方向（遊技島の長手方向）に対して直交する方向に配置し、スライド片２８ａ，２８ｂの水平方向への摺動に伴って、回収ケース８の位置をパチンコ機Ｐに対して前後方向に変更するものであったが、保持板２４ａ，２４ｂをパチンコ機Ｐの左右方向に平行に配置するようにしてもよい。すると、この場合には、スライド片２８ａ，２８ｂを保持板２４ａ，２４ｂに対して水平方向に摺動させることにより、回収ケース８の位置はパチンコ機Ｐに対して左右方向に変更されることとなる。
【００６１】
また、上記実施例では、２つのスライド片２８ａ，２８ｂが共にガイド板部Ｇを有するのもであったが、回収ケース８が小さい場合等、保持強度が比較的小さくてもよい場合には、何れか一方のガイド板部Ｇを排除するようにしてもよい。一方、２つのスライド片２８ａ，２８ｂの少なくとも一方について、その両方の端縁にガイド板部Ｇを設け、回収ケース８の前側面８ｅとは反対側の側面をも保持するように構成すれば、回収ケース８を４つの側面で保持することができ、その保持強度をより一層増すことができる。
【００６２】
また、上記実施例において、２つのスライド片２８ａ，２８ｂは互いに独立したものであったが、例えば、各スライド片２８ａ，２８ｂは、ガイド板部Ｇの部分で連結するように構成してもよい。そして、この場合には、回収ケース８の前側面８ｅを、より大きな面積で保持できるようになる。
【図面の簡単な説明】
【００６３】
【図１】実施例のアウト玉回収装置の外観を表す斜視図である。
【図２】実施例のアウト玉回収装置の外観を図１とは反対側から表す斜視図である。
【図３】図１及び図２のアウト玉回収装置の使用状態を表す斜視図である。
【図４】実施例のアウト玉回収装置に備えられた保持部を表す斜視図である。
【図５】図４の保持部により回収ケースを保持する状態を説明する説明図である。
【図６】実施例のアウト玉回収装置にて回収ケースを上方へ移動させた状態を表す斜視図である。
【図７】実施例のアウト玉回収装置にて回収ケースを前方（水平方向）へ移動させた状態を表す斜視図である。
【符号の説明】
【００６４】
２…アウト玉回収装置（回収装置）    ３…本体部    ５…保持部６…レール    ８…回収ケース    １０…樋    １４…ネジ穴２０…パチンコ玉計数器    ２４ａ，２４ｂ…保持板２８ａ，２８ｂ…スライド片    Ｓ…スライド板部    Ｇ…ガイド板部３０ａ，３０ｂ…固定部材    ３４，Ｂ…蝶ボルト    ３６…長孔Ｍ…孔（水平孔）    ３８ａ，３８ｂ…突条    ４０…貫通孔Ｋ…アウト玉排出口    Ｐ…パチンコ機    Ｔ…アウト玉    Ｗ…下横枠
【図１】
2006305394.tif 000003
【図２】
2006305394.tif 000004
【図３】
2006305394.tif 000005
【図４】
2006305394.tif 000006
【図５】
2006305394.tif 000007
【図６】
2006305394.tif 000008
【図７】
2006305394.tif 000009
【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
パチンコ機の玉排出ロから排出されるパチンコ玉を受け入れると共に該パチンコ玉を所定の回収通路に返却する回収ケースと、
前記パチンコ機が配置された遊技島の所定位置に固定され、前記回収ケースを保持して該回収ケースを前記玉排出口の下方に配置させる保持部と、
を備えたパチンコ玉回収装置において、
前記保持部は、
前記遊技島の所定位置に平行に立設されると共に、前記回収ケースの一対の側面を摺動可能に挟持する一対の保持板と、
前記各保持板に、水平方向へのみ摺動可能に設けられた一対のスライド板と、
前記スライド板の少なくとも一方のスライド板から前記回収ケース側に延びて、前記回収ケースの側面のうち前記保持板に挟持される側面とは別の側面の少なくとも一方に当接するガイド板と、
を備え、
前記回収ケースにて前記保持板により挟持される一対の側面の所定位置にネジ穴を夫々形成すると共に、前記各スライド板の所定位置に前記ネジ穴と螺合する固定ネジを挿通するための長孔を形成し、更に、前記各保持板にて前記回収ケースと前記スライド板とで挟まれる領域に、前記固定ネジを前記スライド板側から前記回収ケース側へ貫通させるための貫通孔を形成し、
前記ガイド板を前記回収ケースの側面に当接させた状態で、前記固定ネジを、前記各スライド板の長孔から前記各保持板の貫通孔を貫通させて前記回収ケースのネジ穴へ螺合することにより、前記回収ケースを前記保持部材に保持させること、を特徴とするパチンコ玉回収装置。
【請求項２】
請求項１に記載のパチンコ玉回収装置において、
前記遊技島の長手方向に沿って配設されたレール部材と、
該レール部材に移動可能に嵌合すると共に該レール部材の任意位置に固定可能に形成された固定部材と、
を備え、
前記各保持板は、その面が前記レール部材の長手方向に対して直交するように前記固定部材に固着されていること、
を特徴とするパチンコ玉回収装置。
【手続補正２】
【補正対象書類名】明細書
【補正対象項目名】００１０
【補正方法】変更
【補正の内容】
【００１０】
上記目的を達成するためになされた請求項１に記載の本発明は、
パチンコ機の玉排出ロから排出されるパチンコ玉を受け入れると共に該パチンコ玉を所定の回収通路に返却する回収ケースと、
前記パチンコ機が配置された遊技島の所定位置に固定され、前記回収ケースを保持して該回収ケースを前記玉排出口の下方に配置させる保持部と、
を備えたパチンコ玉回収装置において、
前記保持部は、
前記遊技島の所定位置に平行に立設されると共に、前記回収ケースの一対の側面を摺動可能に挟持する一対の保持板と、
前記各保持板に、水平方向へのみ摺動可能に設けられる一対のスライド板と、
前記スライド板の少なくとも一方のスライド板から前記回収ケース側に延びて、前記回収ケースの側面のうち前記保持板に挟持される側面とは別の側面の少なくとも一方に当接するガイド板と、
を備え、
前記回収ケースにて前記保持板により挟持される一対の側面の所定位置にネジ穴を夫々形成すると共に、前記各スライド板の所定位置に前記ネジ穴と螺合する固定ネジを挿通するための長孔を形成し、更に、前記各保持板にて前記回収ケースと前記スライド板とで挟まれる領域に、前記固定ネジを前記スライド板側から前記回収ケース側へ貫通させるための貫通孔を形成し、
前記ガイド板を前記回収ケースの側面に当接させた状態で、前記固定ネジを、前記各スライド板の長孔から前記各保持板の貫通孔を貫通させて前記回収ケースのネジ穴へ螺合することにより、前記回収ケースを前記保持部材に保持させること、を特徴とするパチンコ玉回収装置を要旨としている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
上記のように構成された請求項１に記載のパチンコ玉回収装置においては、回収ケースが、遊技島の所定位置に固定された保持部材により保持されて、パチンコ機の玉排出口の下方に配置される。そして、パチンコ機の玉排出口から排出されるパチンコ玉は、回収ケースに受け入れられて、所定の回収通路に返却される。
【手続補正５】
【補正対象書類名】明細書
【補正対象項目名】００１４
【補正方法】変更
【補正の内容】
【００１４】
ここで、保持部材は、遊技島の所定位置に平行に立設されて回収ケースの一対の側面を摺動可能に挟持する一対の保持板と、各保持板に水平方向へのみ摺動可能に設けられた一対のスライド板と、そのスライド板の少なくとも一方のスライド板から回収ケース側に延びて、回収ケースの側面のうち保持板に挟持される側面とは別の側面の少なくとも一方に当接するガイド板と、を有している。
【手続補正６】
【補正対象書類名】明細書
【補正対象項目名】００１５
【補正方法】変更
【補正の内容】
【００１５】
そして、回収ケースにて保持板により挟持される一対の側面の所定位置には、ネジ穴が夫々形成されていると共に、各スライド板の所定位置には、回収ケースのネジ穴と螺合する固定ネジを挿通するための長孔が形成されており、更に、各保持板にて回収ケースとスライド板とで挟まれる領域には、固定ネジをスライド板の長孔から回収ケース側へ貫通させるための貫通孔が形成されている。
【手続補正７】
【補正対象書類名】明細書
【補正対象項目名】００１６
【補正方法】変更
【補正の内容】
【００１６】
このような請求項１に記載のパチンコ玉回収装置において、回収ケースを保持・固定するには、まず、回収ケースを保持板に挟持させると共に、保持板に対してスライド板を水平方向に摺動させることにより、スライド板の端縁から延びたガイド板を、回収ケースの側面（回収ケースの側面のうち保持板に挟持される側面とは別の側面）に当接させる。
【手続補正８】
【補正対象書類名】明細書
【補正対象項目名】００１７
【補正方法】変更
【補正の内容】
【００１７】
そして、この状態で、固定ネジを、各スライド板の長孔から保持板の貫通孔を貫通させて回収ケースのネジ穴へ螺合させ、固定ネジを締め付ければ、回収ケースの側面とスライド板とによって保持板が強固に挟持され、この結果、回収ケースの側面は保持板に密着して保持される。しかも、このとき、回収ケースは、保持板により一対両側の側面で保持されるだけではなく、その側面とは別の側面も、ガイド板に接して保持される。即ち、回収ケースは少なくとも３つの側面で保持・固定されることとなる。
【手続補正９】
【補正対象書類名】明細書
【補正対象項目名】００１８
【補正方法】変更
【補正の内容】
【００１８】
一方、回収ケースの位置を変更する場合には、まず、固定ネジをスライド板が保持板に対して摺動できる程度に緩める。そして、スライド板を保持板に対して水平方向に摺動させれば、固定ネジが保持板の貫通孔内を水平方向に移動して、回収ケースは、その側面にガイド板が当接した状態を保ちつつ、水平方向に移動することとなる。
【手続補正１０】
【補正対象書類名】明細書
【補正対象項目名】００１９
【補正方法】変更
【補正の内容】
【００１９】
尚、回収ケースの水平方向への移動量は、保持板に形成された貫通孔の水平方向の寸法によって決定される。
【手続補正１１】
【補正対象書類名】明細書
【補正対象項目名】００２０
【補正方法】変更
【補正の内容】
【００２０】
そして、このようにして回収ケースを保持板に対し水平方向に移動させ、最適な位置を決めた後に固定ネジを再度締め付ければ、回収ケースを上述の如く保持・固定することができる。以上のように請求項１に記載のパチンコ玉回収装置によれば、２本の固定ネジだけで回収ケースを固定できると共に、その固定ネジを緩めるだけで、回収ケースの位置を水平方向に調節することができる。しかも、２本の固定ネジによって回収ケースを固定しているにも関わらず、回収ケースは、少なくとも３つの側面で確実に保持される。従って、請求項１に記載のパチンコ玉回収装置によれば、回収ケースの保持位置を簡単な操作で調整することができる上に、回収ケースを確実に保持することができ、回収ケースが傾いてしまうといった不都合を防止できる。
【手続補正１２】
【補正対象書類名】明細書
【補正対象項目名】００２１
【補正方法】変更
【補正の内容】
【００２１】
尚、本発明においては、少なくとも、一方のスライド板の一方の端縁だけからガイド板が回収ケース側に延びるように構成すれば、回収ケースを３つの側面で保持することができるのであるが、例えば、一方のスライド板にて保持板から突出する両方の端縁から夫々ガイド板が延びるように構成すれば、回収ケースを４つの側面でより確実に保持することができるようになる。
【手続補正１３】
【補正対象書類名】明細書
【補正対象項目名】００２６
【補正方法】変更
【補正の内容】
【００２６】
従って、このようなパチンコ玉回収装置によれば、回収ケースの位置を、パチンコ機に対して、前後，及び左右の全方向に調節することができる。そして、回収ケースを玉排出口の直下位置へより確実に移動させることができるようになるため、回収ケースを小型化して当該装置をコンパクトにすることができ、この結果、遊技島内のスペースを有効に利用できる。
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】変更
【補正の内容】
【００２９】
尚、請求項１〜請求項２に記載のパチンコ玉回収装置において、回収ケースの所定部分（例えば、パチンコ玉を回収通路へ誘導する部分）に、パチンコ玉の通過を検出する検出手段を設けておけば、パチンコ機の玉排出口から排出されたパチンコ玉の数を計数することが可能となる。